(57)【要約】結果として地震が発生するであろう特定の場所を地図で示すために、太陽黒点および太陽擾乱を監視し、これらを開発モデルに相関付けることを通して、地震活動を追跡する方法が提供される。方法は、太陽上の電磁擾乱の座標をマッピングすること、および地球／太陽の幾何学形状および相対位置を考慮しながら座標を計算することを含む。その結果として、これら座標は地球上の場所および時間にマッピングされ、この場所および時間は、結果として地球上で発生するであろう地震の場所およびおおよその時間を予測する。【選択図】図３
2009508104.tif 000002
【特許請求の範囲】
【請求項１】
地球上の地震を太陽の電磁擾乱に相関付ける方法であって、
太陽の電磁擾乱の座標をマッピングすること、
前記座標を計算すること、
前記計算された座標を地球上の場所および時間にマッピングすること、
とを含み、
それにより、地球上の前記場所および前記時間が、地球上で結果として発生する地震の場所およびおおよその時間を予測する、方法。
【請求項２】
前記電磁擾乱はＥＩＴ画像で観察されるものに基づく、請求項１に記載の方法。
【請求項３】
前記電磁擾乱は磁場分布図画像で観察されるものに基づく、請求項１に記載の方法。
【請求項４】
前記座標をマッピングすることは、前記擾乱を格子上の太陽直径の透明シートにマークし、前記マークされた座標をブロードシートに転写することにより行われる、請求項１に記載の方法。
【請求項５】
前記計算された座標をマッピングすることは、スケーリングされ、緯度線に分けられたＢＯ透明シート上に前記座標をマークすることにより行われる、請求項１に記載の方法。
【請求項６】
前記場所は、対応する日の偏角が、前記ブロードシートの透明シートからの太陽黒点擾乱の印に調整され、前記ＢＯ透明シートの中心が前記ブロードシートの中心に並べられて、日々の偏角に回転され、前記ＢＯ透明シートの中心が前記日々の偏角に従って前記ブロードシートの中心に沿って上下に移動されるように調整されるモデルを使用して前記緯度線から求められる、請求項１、４、および５に記載の方法。
【請求項７】
前記経度線上の地震の可能性がある場所を判断することをさらに含む、請求項１に記載の方法。
【請求項８】
前記経度線上の地震の可能性がある場所を判断することは、ＥＩＴおよび磁場分布図画像上の前記擾乱を識別することにより行われる、請求項７に記載の方法。
【請求項９】
前記経度線上の地震の可能性がある場所を判断することは、ａ：パターンアーカイブ（ＥＭＩアーカイブ）を参照すること、ｂ：現在の地震活動を示した構造プレートの場所を統計的に解析すること、およびｃ：地球の地殻の特徴を地質学的にマッピングすることをさらに含む、請求項７に記載の方法。
【請求項１０】
ＥＩＴ画像または磁場分布図画像から得られる前記座標からの結果を強化することをさらに含む、請求項１に記載の方法。
【請求項１１】
前記結果を強化することは、ａ：グローバル地震地図を使用すること、ｂ：発生、マグニチュード、および深度等の地球の歴史的な地震活動を調べること、ｃ：構造プレートの移動を考慮することを含む、請求項１０に記載の方法。
【請求項１２】
前記地震の予測はオンラインシミュレータにより行われる、請求項１に記載の方法。
【請求項１３】
地震は、前記パターンの形状、太陽擾乱が発達する速度、ならびに前記擾乱のサイズおよび場所により計算されるマグニチュードを有する、請求項１に記載の方法。
【請求項１４】
上記明細書、添付の図面、添付の表、および添付の特許請求の範囲において述べられる地震を予測する方法。
【発明の詳細な説明】
【技術分野】
【０００１】
本発明は地震活動の追跡に関する。特に、本発明は太陽黒点および太陽擾乱に直接結び付けられる地震活動の追跡に関する。
【背景技術】
【０００２】
地震は地震波および地殻変動の圧力によって発生する自然災害である。現在、地震は予測不可能であると理解されており、非常に破壊的であり得る。統計は、１年間に２０〜３０の破壊的な大地震が世界中で発生していることを示す。
【０００３】
地震の時間および場所は予測不可能であると理解されており、世界中の大きな関心を集めることの１つである。地震それ自体の破壊的な性質ならびに火災、汚染、洪水等の二次災害により、その結果は悲惨であり得る。
【０００４】
現時点で、科学は、現在の科学的方法を通して地震の厳密な時間および場所を予測することができない。
【０００５】
太陽系の全惑星から、地球は、地殻変動を示す他に例を見ない唯一の惑星である（火星および金星等の他の同様の惑星は過去に火山活動の兆候を示したが、過去においても現在においても地殻変動の証拠は出ていない）。地球の地殻は、岩石圏のあちこちを移動する構造プレートに分けられる。これらプレートはその周縁部において互いに衝突して挽き砕かれる。これらプレートは常に活動している（核の熱により異なる相変化を発生させる対流過程、重力、および地球内からの放射性放出）。これらの異なる力が共に作用して地震を発生させる。
【０００６】
地震が発生する前に、岩と岩との間での圧力および摩擦が蓄積し、遂には「臨界点」（地球の地殻は、大半は酸素を含有する、結晶内に閉じ込められた異なる鉱物から構成される）に達する。これら鉱物を通して、電磁パルスが発生する（例えば、（非特許文献１）参照）。地球の地殻から大気中に放出される電磁パルスはコヒーレント光を特徴とし、太陽の光球に衝突するときにその分光的特徴を持ち続ける。リード（Ｒｅｅｄ）等は、（非特許文献２）において、実験において結晶から発せられる測定可能なコヒーレント光を観察でき、それにより、コヒーレント光が結晶を通る衝撃波により発生したことを見出した。
【０００７】
太陽の光球は（地球の電離層のように）電磁変化に対してかなり敏感な薄い層である。モデルは、太陽黒点擾乱を相関付け、これらを地球上の相対する場所にマッピングする。さらに、ＥＭＩアーカイブで概要が示されるこれら擾乱のパターンは、地球の異なるソースロケーションから発する固有の特徴を示す（結晶学、分光学、および光学非線形性での描画）。
【０００８】
このように、地球を（パルサーのような）パルス発生体と比較することができ、太陽は、光球上に形跡を残すパルスを反射する応答表面として働く。
【０００９】
科学的研究が、太陽に対する地球の相対サイズおよびエネルギーレベルにより進められてきており、これは、過去および現在の科学的研究を地球に対する太陽の影響を探求させるように影響してきた。特に、小氷河期中にはより少数の太陽黒点活動が記録された（図８ａ参照）が、太陽擾乱と地震との明確な関係は今まで理解されていなかった。本発明の発明者は、太陽が地球に作用を及ぼしているという前提を逆にし、太陽が、地球を発端とするトレースを示していることを示唆するモデルを開発した。これらトレースは、地震前の活動であるトリガに応答して作用する局所反応として進化する太陽擾乱として識別することができる。
【００１０】
それによれば、地震活動の増大が、太陽の磁極の季節的な変更の影響および地球への関係を考慮に入れて、太陽擾乱の数および具合的な場所に直接相関すると推測しなければならない。地球の偏角、傾角、および地球と太陽との間の太陽のＢＯ角という特性が測定されれば、この相関を認めることができる。次に、擾乱を過去または将来の震央の場所にマッピングすることができる。図１に示すこの１０ステップモデルを使用して、本発明の発明者は、太陽擾乱を追跡し、これらを４年の期間にわたってクロスチェックして、本明細書において以下に示す発生頻度、相対位置、およびグローバルパターンを示した。このモデルは、関係するデータの相関付けを可能にし、過去の地震活動のドキュメンテーションを実証するのみならず、将来の地震活動を予測するために首尾良く実施することも可能である。
【非特許文献１】Freidman, January December 2005 and Brend D. Johnson, Spectrophotometer Observes Radiation from Rocks,（２００５年１２月２３日アクセス）http://www.photonics.com/spectra/applications/XQ/ASP/aoaid.346/QX/read.htm
【非特許文献２】Reed et al, THz Science and Technology Network, terahertz (THz) radiation, Physical Review Letters, 13 January 2006
【非特許文献３】X. Song and P. G. Richards, Detecting Possible Rotation of Earth's Inner Core, Nature 382, 221 (1996)
【非特許文献４】Robert Roy Britt, "When North Becomes South: New Clues to Earth's Magnetic Flip-Flops", http;//www.space.com/scicenceastronomy/earth_poles_040407.html
【非特許文献５】http://vathena.arc.nasa.gov/curric/land/platet.gif
【非特許文献６】Ross S. Stein, Aykut A. Varka and James H. Dieterich, Progressive failure on the North Anatolian fault since 1939 by earthquake stress triggering, Geophysical Journal International, 1997, VOL 128, (pp 594-604), http://quake.wr.usgs.gov/research/deformation/modeling/papers/anatolia.html
【非特許文献７】Davide Castelvecchi, Magnet Theory Meets Earthquakes, ISSN 1539-0748, 2005 by The American Physical Society, 2005, http://focus.aps.org/story/v16/st2
【発明の開示】
【発明が解決しようとする課題】
【００１１】
本発明の目的は、結果として地震が発生するであろう特定の場所を地図で示すために、太陽黒点および太陽擾乱を監視し、これらを開発モデルに相関付けることを通して、地震活動を追跡する方法を提供することである。
【課題を解決するための手段】
【００１２】
したがって、本発明の好ましい実施形態によれば、本発明は、地球上の地震を太陽の電磁擾乱に相関付ける方法であって、太陽の電磁擾乱の座標をマッピングすること、上記座標を計算すること、計算された座標を地球上の場所および時間にマッピングすること、とを含み、それにより、地球上の場所および時間が、地球上で結果として発生する地震の場所およびおおよその時間を予測する、方法を提供する。
【００１３】
さらに、本発明の別の好ましい実施形態によれば、電磁擾乱はＥＩＴ画像で観察されるものに基づく。
【００１４】
さらに、本発明の別の好ましい実施形態によれば、電磁擾乱は磁場分布図画像で観察されるものに基づく。
【００１５】
さらに、本発明の別の好ましい実施形態によれば、上記座標をマッピングすることは、擾乱を格子上の太陽直径の透明シートにマークし、マークされた座標をブロードシートに転写することにより行われる。
【００１６】
さらに、本発明の別の好ましい実施形態によれば、上記計算された座標をマッピングすることは、スケーリングされ、緯度線に分けられたＢＯ透明シート上に座標をマークすることにより行われる。
【００１７】
さらに、本発明の別の好ましい実施形態によれば、上記場所は、対応する日の偏角が、ブロードシートの透明シートからの太陽黒点擾乱の指示に調整され、ＢＯ透明シートの中心がブロードシートの中心に並べられて、日々の偏角に回転され、ＢＯ透明シートの中心が日々の偏角に従ってブロードシートの中心に沿って上下に移動されるように調整されるモデルを使用して前記緯度線から求められる。
【００１８】
さらに、本発明の別の好ましい実施形態によれば、方法は、経度線上の地震の可能性がある場所を判断することをさらに含む。
【００１９】
さらに、本発明の別の好ましい実施形態によれば、経度線上の地震の可能性がある場所を判断することは、ＥＩＴおよび磁場分布図画像上の擾乱を識別することにより行われる。
【００２０】
さらに、本発明の別の好ましい実施形態によれば、経度線上の地震の可能性がある場所を判断することは、ａ：パターンアーカイブ（ＥＭＩアーカイブ）を参照すること、ｂ：現在の地震活動を示した構造プレートの場所を統計的に解析すること、およびｃ：地球の地殻の特徴を地質学的にマッピングすることをさらに含む。
【００２１】
さらに、本発明の別の好ましい実施形態によれば、方法は、ＥＩＴ画像または磁場分布図画像から得られる座標からの結果を強調することをさらに含む。
【００２２】
さらに、本発明の別の好ましい実施形態によれば、結果を強調することは、ａ：グローバル地震地図を使用すること、ｂ：発生、マグニチュード、および深度等の地球の歴史的な地震活動を調べること、ｃ：構造プレートの移動を考慮することを含む。
【００２３】
さらに、本発明の別の好ましい実施形態によれば、地震の予測はオンラインシミュレータにより行われる。
【００２４】
これに加えて、本発明のさらに別の好ましい実施形態によれば、地震は、パターンの形状、太陽擾乱が発達する速度、ならびに擾乱のサイズおよび場所により計算されるマグニチュードを有する。
【発明を実施するための最良の形態】
【００２５】
本発明は、地球上の地震活動を太陽擾乱の数および具体的な場所に直接相関付ける新しく独自のモデルを提供する。このモデルは、太陽黒点の擾乱を通して地震を予測するために利用される。権威機関に警告して、人間および物的資源が結果としてダメージを受ける可能性を回避するために、この太陽活動の追跡は将来の地震の予測に対して極めて重要である。
【００２６】
太陽の電磁擾乱
太陽黒点は、見かけ上は対流過程により形成される強力な磁場（３０００ガウス）である。太陽黒点の電磁擾乱を地球上の火山噴火等の地殻変動と比較することができ、構造プレート上の対流過程と同様に挙動している。
【００２７】
太陽の磁場の擾乱は、熱を解放する領域（対流層）と放射領域（放射層）との間で発生して、影響を受けやすい光球にトレースを生じさせる。
【００２８】
太陽黒点サイクルは一定ではなく（およそ８〜１１年）、太陽の極が反転するときに繰り返される。通常、太陽黒点は対または群（クラスタ）で出現し、数日または数週間の寿命を有する。
【００２９】
恐らく、太陽の磁力線の方向は、太陽活動極小期では小さな擾乱として、太陽黒点が磁場分布図上に出現するときに発生する磁気擾乱を変化させる。
【００３０】
太陽擾乱、光球でのその場所、および特にそのサイクルの挙動は、擾乱が外部磁気源から進化することを示す。地球の核（分化）は、直径７０００ｋｍの高温の液体金属の外層で囲まれた直径２４００ｋｍの内部固体で構成される。核は外層および外殻よりも遅く回転する。その結果、核の電子の速度と外層の電子の速度とに相違がある（非特許文献３）。これらの移動が自然のダイナモになる。
【００３１】
地球の外核では、移動して脈動し、電磁嵐および電気嵐を地球の深部で発生させるという点で、非常に高温の液体金属（殆どは鉄）が太陽の核のように挙動するように見える（（非特許文献４によっても説明される）。電磁の約１％が逃げ、他の要素と組み合わせられて地球の磁場を作り出す。地球の核の挙動によれば、地球および電磁場も変動する。地球の磁軸は、およそ１１度の傾斜で地軸に対してわずかに傾いている。磁場の強度は極でより強く、赤道領域周辺ではより弱い。仮に磁軸が地球の地軸と平行であった場合、地理緯度は磁気緯度と同じ線を辿る。しかし、磁力線は類似はするが、地理緯度線と同一ではない。磁気赤道線を構造プレート地図に重ねると、（蝶のような）形状になる。構造プレートには対流過程が関連する。
【００３２】
さらに、地球の地殻上の構造プレートは磁場により影響を受ける。主要な「蝶」形状は、太平洋プレート（環太平洋火山帯を囲む）に重ねられたときに略完全にバランスがとれて見える。蝶のようなさらなる形状がアフリカプレートおよびインドプレートからも出現する。残りのプレートもこの磁気バランスを完成させ、磁気赤道が「蝶」の中央をマークする。
【００３３】
これより、地殻変動の８０％を占める太平洋プレートを示す地図を示す図２を参照する。地図のソースは（非特許文献５）である。
【００３４】
以下の例は、地震のペアリングおよび磁気バランスを立証する。
【００３５】
2009508104.tif 000003
【００３６】
したがって、本発明の発明者により、地震の可能性のある場所および時間を特定するために１０ステップモデルが開発された。プロセスで考慮される要因には、太陽／地球の幾何学および軌道が含まれる。
【００３７】
これより、本発明の好ましい実施形態による地震追跡の１０ステッププロセスのブロック図を示す図３を参照する。プロセスのステップは以下である。
【００３８】
１．太陽擾乱活動を観察する
このステップでは、使用者がＵＴＣ時間で太陽黒点擾乱の最初の出現を識別する。新しい太陽黒点活動および擾乱の出現証拠は、衛星の画像であるＥＩＴおよび磁場分布図から明らかにされる。
【００３９】
２．擾乱を格子上の太陽直径の透明シートにマークする
太陽擾乱（通常は擾乱の暗い領域または別法として太陽黒点活動の雲様パターン）の正確な座標が、直接モニタ上もしくはプリントアウトされたＥＩＴおよび磁場分布図画像上の透明シートにマークされる。これより、本発明の好ましい実施形態によるプロセスで使用される透明シートの格子を示す図４（太陽直径格子透明シート）を参照する。
【００４０】
３．太陽黒点活動を透明シートからブロードシートに転写する
次に、太陽黒点擾乱の正確な座標が、透明シートから、より大きな尺度で格子に分割されたブロードシートに転写される（現在の太陽黒点活動の作業図をより精密にできるように）。これより、本発明の好ましい実施形態によるプロセスで使用されるブロードシートを示す図５を参照する。
【００４１】
４．太陽黒点擾乱を地球上の場所（緯度線）に相関付ける
ブロードシートと同じ尺度で緯度線に分割されたＢＯ透明シートに、全範囲のＢＯオプション（２例：ＢＯ−０およびＢＯ−７参照）がマークされる。次に、同じ偏角＋ＢＯを示して、透明シート（太陽直径格子透明シート）上の座標をブロードシートに転写することができる。
【００４２】
これより、本発明の好ましい実施形態によるプロセスで使用されるＢＯ緯度を示す図６ａおよび図６ｂを参照する。
【００４３】
５．緯度線上の地震の可能性がある場所を特定する
緯度線はモデル（例で示す）を使用して特定される。対応する日の偏角が、ブロードシート透明シートからの太陽黒点擾乱の印に調整される。ＢＯ透明シートの中心が、ブロードシートの中心に並べられ、日毎の偏角に回転される。さらに、ＢＯ透明シートの中心はまた、日毎の偏角に従ってブロードシートの中心に沿って上下に移動される。
【００４４】
６．経度線Ｉ上の地震の可能性がある場所を特定する
ＥＩＴおよび磁場分布図画像（黒色の印が太陽の南極を表し、白色の印が北極を表す）で識別される擾乱は、それぞれの特定の地理的ソースを示す明らかに異なるパターンを示す。これより、本発明の好ましい実施形態によるパターンアーカイブ（ＥＭＩアーカイブ）の一例を示す図７を参照する。
【００４５】
７．経度線ＩＩ上の地震の可能性がある場所を特定する
経度線上の地震の可能性がある場所も以下のように特定される。
ａ．パターンアーカイブ（ＥＭＩアーカイブ）の一部の参照を図７（４年にわたる磁気分布図から識別された歴史的な太陽擾乱パターンのＥＭＩアーカイブドキュメント観察）に示す。
ｂ．現在の地震活動を示した構造プレートの場所を統計的に解析する。
ｃ．地球の地殻の特徴を地質学的にマッピングする。
【００４６】
８．ＥＩＴおよび磁場分布図画像から得られるデータからの結果を強化する
これら観察からの結果を以下のようにさらに強化することができる。
ａ．グローバル地震地図を使用する。
ｂ．地域の歴史的な地震活動を調べる（発生、マグニチュード、および深度）。
ｃ．構造プレートの移動（および圧力、地震バランスの移動）を考慮に入れる。
ステップ５、６、７、および８の係数が一緒に、地震の可能性がある場所を特定する。
【００４７】
９．オンラインシミュレータにより発生する可能性がある地震を特定する
本発明の好ましい実施形態による経度を特定する好ましい方法は、表１に示すようなタイムゾーンを使用するオンラインシミュレータを使用することにより、随時、太陽に対する地球の相対位置を計算して特定することによる。タイムゾーンおよびシミュレータは、ブロードシート（「Ｙ」軸）でのように太陽に対する地球の関係を示す。これにより、本発明者は太陽擾乱が発達するのにかかった時間量（通常は１０〜１２時間）を識別することができる。
【００４８】
１０．発生する可能性のある地震のマグニチュードを特定する
地震のマグニチュードは、パターンの形状、太陽擾乱の発達速度、ならびに擾乱のサイズおよび場所により計算される。
【００４９】
本明細書において先に触れたように、このモデルは、再現性を示すために、過去４年間にわたって実施されて調べられた（２００１、２００２、２００３、および２００４）。地震と太陽擾乱との相関は、数量的ならびに発生順序の両方で集団で一緒に一貫して発生する。この相関付けられた活動の一例を、２００３年８月からの太陽および地球の活動を示す表に示す（４年データセットからの一例）。地震が地球に不等な質量分布を生み出し、それにより、地球の平衡が不安定化されることが示された。短期では、通常、プレートの反対側で、この不均衡を補償して調整する他の地震が見られる。したがって、大半の地震に対して、応答する地震（バランス）がある。
【００５０】
これより、特定の時間期間にわたって評価された２００３年８月の地震図を示す図８ｂを参照する。この図は、２００３年８月からの地震の発生を日毎に、地理緯度にマッピングしたものとして示す。示されるように、次々と多くの地震が発生し、太陽擾乱の挙動と比較できる自己相似性を示す。地震は、太陽黒点が発生する様式を彷彿とさせる一続きまたは集団で発生する。
【００５１】
これより、太陽の個々の回転にわたる日毎の太陽黒点面積平均を示す図８ａを参照する。蝶パターンで示される地震のペアリングおよびプレート地図は、太陽黒点の蝶パターンに類似するパターンを有する。
【００５２】
特定の各場所での各地震は、（非特許文献６）においてＲｏｓｓ  Ｓ．Ｓｔｅｉｎにより説明されるように、結ばれた小板の周縁部に「対して作用」し、次の地震を開始させる。地震が集団で発生することには、大地震は、静応力が増大する付近の断層に別の大地震を発生させ得るという物理的な説明がある。この説明は、（非特許文献７）に見出すことができる。
【００５３】
２００３年８月の地震活動が監視され、太陽擾乱活動にマッピングされた。この結果を、本発明の発明者が測定した磁場分布図上の地震と擾乱の緯度を示す地球上のその時間中で発生した地震を比較する表２に提供する。擾乱の正確な位置に従い、本発明の発明者は、本明細書において先に説明した１０ステップ方法に従って地震が予想される緯度を計算した。計算結果と発生した実際の地震との間に近い相関があることに気付くことができる。地震データは、米国地質調査所（ｈｔｔｐ：／／ｅａｒｔｈｑｕａｋｅ．ｕｓｇｓ．ｇｏｖ）からとられ、太陽黒点データはＳＯＨＯ  ＬＡＳＣＯ，ＥＩＴ  ａｎｄ  ＭＤＩ  ｔｅａｍｓ（ｈｔｔｐ：／／ｓｏｈｏｗｗｗ．ｎａｓｃｏｍ．ｎａｓａ．ｇｏｖ／ｄａｔａ／ｒｅａｌｔｉｍｅ／ｒｅａｌｔｉｍｅ−ｍｄｉ＿ｍａｇ．ｈｔｍｌ）から提供される磁場分布図画像からのものである(ＥＭＩマッピングにより特定されるＸ値およびＹ値)。
【００５４】
制御された一連の実験において、さらなる地震場所予測が文書化され、２００５年１０月１４日および１８日、２００６年２月２４日、ならびに２００６年３月６日に配布された。
【００５５】
各セットにおいて、利用できるデータから得られた予測の数は固有であり、実験が行われた特定の日で識別可能であった潜在的なイベントを反映した。
【００５６】
座標（斜体および太字）は、予測された場所を表し、場所（下線付き）は、この期間中に発生した実際の地震を表す。
【００５７】
２００５年１０月１４日
１．４-６ｎ  １２８−１３０ｅ
マグニチュード        ５．８
日時            ＵＴＣ２００５年１０月２２日(土)  １２：１６：３６（８日間）
場所            ５．９６Ｓ  １３０．０１Ｅ
領域            バンダ海
２．１４-１６ｎ  ９５−９７ｗ
マグニチュード        ４．１（このイベントは、リストが編纂された後でのみオンラインで公開された）（−２日間）
日時            ＵＴＣ２００５年１０月１２日(水)  ２３：３７：３５
場所            １６．２４９Ｎ  ９６．８４２Ｗ
領域            メキシコ、オアハカ
マグニチュード        ４．９
日時            ＵＴＣ２００５年１０月２４日(月)  ０１：２３：５９（１０日間）
場所            １７．７１Ｎ  １０５．７７Ｗ
領域            メキシコ、ハリスコの海岸沖
マグニチュード        ４．７
日時            ＵＴＣ２００５年１０月２４日(月)  ０１：２０：５７（１０日間）
場所            １６．２４９Ｎ  ９６．８４２Ｗ
領域            メキシコ、ハリスコの海岸沖
３．２８−３０ｎ  ５２−５０ｅ
マグニチュード        ５．２
日時            ２００５年１０月２０日(木)  ２３：３２：２４（６日間）
場所            ３１．７１Ｎ  ５０．５１Ｅ
領域            北イラン
４．２３−２５ｎ  １２７−１２８ｅ
マグニチュード        ６．６
日時            ＵＴＣ２００５年１０月１５日(土)  １５：５１：０８（１日間）
場所            ２５．３０４Ｎ  １２３．２６３Ｅ
領域            台湾の北東
５．２０−２３ｓ  １７８ｅ−１８０
マグニチュード        ５．４
日時            ＵＴＣ２００５年１０月１４日(金)０３：３６：４５（同日）
場所            ２３．７１０Ｓ  １７６．００３Ｗ
領域            フィジー諸島の南
２００５年１０月１８日
６．１０−１１ｓ  ７５−７６ｗ
マグニチュード        ５．０
日時            ＵＴＣ２００５年１０月１８日(火)０８：４２：１３（同日）
場所            １４．１７６Ｓ  ７２．６０８Ｗ
領域            中央ペルー
マグニチュード        ４．８
日時            ＵＴＣ２００５年１０月２０日(木)１９：３０：２２（２日間）
場所            １３．４９Ｓ  ７０．２０Ｗ
領域            中央ペルー
７．２−３ｎ  １２７−１２８ｅ
マグニチュード        ５．２
日時            ＵＴＣ２００５年１０月２９日(土)０１：１７：３２（１１日間）
場所            ２．５５３Ｎ  １２７．００９Ｅ
領域            モルッカ海
８．３７−３８ｎ  １４２−１４３ｅ
マグニチュード        ４．９
日時            ＵＴＣ２００５年１０月１７日(月)１８：４８：２６（−１日間）
場所            ３７．８９２Ｎ  １４２．０６１Ｅ
領域            日本、本州の東海岸沖
マグニチュード        ６．４
日時            ＵＴＣ２００５年１０月１９日(水)１１：４４：４３（１日間）
場所            ３６．３７４Ｎ  １４０．８４９Ｅ
領域            日本、本州の東海岸近海
マグニチュード        ５．５
日時            ＵＴＣ２００５年１０月２２日(土)１３：１２：４７（４日間）
場所            ３７．１１８Ｎ  １４０．９１３Ｅ
領域            日本、東本州
マグニチュード        ５．９
日時            ＵＴＣ２００５年１０月２３日(日)１０：０８：１３（５日間）
場所            ３７．３７２Ｎ  １３４．４９０Ｅ
領域            日本海１１．１７−１８ｓ  ６９−７０ｗ
マグニチュード        ４．８
日時            ＵＴＣ２００５年１０月２０日(木)１０：０２：２３（２日間）
場所            ２０．７６１Ｓ  ７０．３６３Ｗ
領域            チリ、タラパカ沖
マグニチュード        ５．６
日時            ＵＴＣ２００５年１０月２３日(日)０４：４９：１７（５日間）
場所            ２１．５４１Ｓ  ６８．１８５Ｗ
領域            チリ、アントファガスタ
９．５１−５２ｎ  １５９−１６０ｅ
マグニチュード        ５．７
日時            ＵＴＣ２００５年１０月２０日(木)１５：２６：３２（２日間）
場所            ５２．３３４Ｎ  １６９．１０９Ｗ
領域            アラスカ、アリューシャン列島、フォックス諸島
１０．２８−２９ｎ  １３９−１４０ｅ
マグニチュード        ５．０
日時            ＵＴＣ２００５年１０月２７日(木)０８：４１：４６（９日間）
場所            ３０．８５１Ｎ  １３８．４９４Ｅ
領域            日本領域、伊豆諸島
１１．１４−１５ｓ  １７９−１８０ｗ
マグニチュード        ５．３
日時            ＵＴＣ２００５年１０月２４日(月)００：４４：４３（６日間）
場所            １５．１６Ｓ  １７２．９５Ｗ
領域            サモア諸島領域
２００６年２月２４日
１）４６Ｎ  ２７Ｅ  ルーマニア
ソース  ２０／２  ｘ＝１２６  ｙ＝４４
０６／０３        ４５．６９Ｎ  ２６．４５Ｅ
ルーマニア
マグニチュード  ４．６
もしくは  ４６Ｎ  １５１Ｅ  クリル諸島
０９／０３        ４５．１２Ｎ  １５１．６Ｅ
クリル諸島
マグニチュード  ５．２
１４／０３        ４７．９６Ｎ  １４７．２Ｅ
クリル諸島の北西
マグニチュード  ５．３
３）３７Ｎ  ３０Ｅ  トルコ／キプロス領域
ソース  ４／３  ｘ＝１１５  ｙ＝３０
０９／０３        ３７．８６８Ｎ  ２６．６５４Ｅ
ギリシャ、ドデカネス諸島
マグニチュード  ４．３
４）６Ｓ  １２８Ｅ  
ソース  ３／３  ｘ＝１１０  ｙ＝１１３
主要トリガ
１４／０３        ３．６０Ｓ  １２７．１９Ｅ
インドネシア、セラム
マグニチュード  ６．８
１７／０３        ５．２２Ｓ  １２３．１３Ｅ
バンダ海
マグニチュード  ５．６
１７／０３        ７．５０Ｓ  １２５．１６Ｅ
バンダ海
マグニチュード  ５．６
１８／０３        ４．６８Ｓ  １２６．２Ｅ
インドネシア、タラウド諸島
マグニチュード  ５
５）６Ｓ  １１５Ｅ  
ソース  ５／３  ｘ＝８０  ｙ＝４８
１６／０３        ７．３８Ｓ  １０６．７２Ｅ
インドネシア、ジャワ
マグニチュード  ５．１
６）１３Ｓ  １７０Ｅ  
ソース  ２／３  ｘ＝１０９  ｙ＝１３５
主要トリガ
７／０３          １４．８３Ｓ  １６７．３４Ｅ
バヌアツ諸島
マグニチュード  ６．２
１７／０３        １４．９８Ｓ  １６７．３９Ｅ
バヌアツ諸島
マグニチュード  ５．２
１７／０３        １５．２７Ｓ  １７５．８２Ｅ
トンガ諸島
マグニチュード  ５．２
１９／０３        １３．５７Ｓ  １７２．４１Ｅ
バヌアツ領域
マグニチュード  ５．８
７）３Ｓ  ソース  ４／３  ｘ＝１００  ｙ＝６８  経度不明瞭
主要トリガ
１２／０３        ５．０５Ｓ  １５３．６５Ｅ
パプアニューギニア、ニューアイルランド領域
マグニチュード  ５．９
１４／０３        ３．９１Ｓ  １５１．５９Ｅ
パプアニューギニア、ニューアイルランド領域
マグニチュード  ５．４
１７／０３        ４．９２Ｓ  １４９．９２Ｅ
ビスマルク海
マグニチュード  ５．
【００５８】
これより、異なる磁場分布図画像を示す図９〜図１１を参照する。以下の例は、図９〜図１１の太陽黒点に関連してそれぞれ示される主要な地震イベントを表す。磁場分布図は、本明細書において先に説明した本発明の方法に従って解析された。
【００５９】
１．２６．１２．０４においてマグニチュード９の地震（そして結果として津波）がスマトラ（３．３Ｎ−９６Ｅ）で発生した。図１０に示す磁場分布図で行われた計算によれば、以下の結果が計算された。
平均太陽ＢＯ（−１）
地球の偏角２３．３Ｓ
ＳＯＨＯからデータ入手不可能２１．１２．０４（恐らく、フレアまたは制御されたベークアウト）
平均データはＢ．Ｂ．Ｓ．Ｏ．からとられた。
【００６０】
2009508104.tif 000004
【００６１】
２．スマトラ（２．１Ｎ−９７Ｎ）でマグニチュード８．７の地震が２８．３．０５に発生した。
計算から、平均太陽ＢＯ（−７）、地球の偏角Ｎ２．８
【００６２】
2009508104.tif 000005
【００６３】
３．バンダ海（５．４Ｓ−１２８．１Ｅ）で、２７．１．０６にマグニチュード７．７の地震が発生した。計算は以下を示した。
平均太陽ＢＯ（−５）
地球の偏角Ｓ２０．６
【００６４】
2009508104.tif 000006
【００６５】
本明細書に示すモデルによれば、数学的計算を開発することができることに留意されたい。この数学的計算は、試行錯誤等の分野において既知の数学的様式で太陽擾乱から地震を予測するために必要な相関付けを自動的に実行することができる。
【００６６】
本明細書において述べた実施形態および添付図の説明は、添付の特許請求の範囲により包含される範囲を制限せずに、本発明をよりよく理解するためにだけ役立つことが明らかなはずである。
【００６７】
当業者が、本明細書を読んだ後、添付図および上記実施形態に調整または修正を行ってもよく、これもまた添付の特許請求の範囲により包含されることも明らかなはずである。
【００６８】
【表１】
2009508104.tif 000007
【００６９】
【表２】
2009508104.tif 000008
【００７０】
2009508104.tif 000009
【００７１】
2009508104.tif 000010
【図面の簡単な説明】
【００７２】
本発明をよりよく理解するとともに、その実際の用途を理解するために、以下の図を添付し、本明細書において参照する。同様の構成要素は同様の参照番号で示される。
【００７３】
図は単に例および好ましい実施形態として与えられ、添付の説明および特許請求の範囲において規定される本発明の範囲を決して制限するものではないことに留意されたい。
【００７４】
【図１】ＥＭパルスと地球／太陽／地球との関係を示す、本発明者により開発されたモデルを概略的に示す。
【図２】太平洋プレートおよび磁気赤道を示す地図を示す。
【図３】本発明の好ましい実施形態による、地震を追跡する１０ステッププロセスのブロック図を示す。
【図４】本発明の好ましい実施形態によるプロセスで使用される透明シートの格子を示す。
【図５】本発明の好ましい実施形態によるプロセスで使用されるブロードシートを示す。
【図６ａ】本発明の好ましい実施形態によるプロセスで使用されるＢＯ緯度（ＢＯ  ０とＢＯ  ７）を示す。
【図６ｂ】本発明の好ましい実施形態によるプロセスで使用されるＢＯ緯度（ＢＯ  ０とＢＯ  ７）を示す。
【図７】本発明の好ましい実施形態によるパターンアーカイブ（ＥＭＩアーカイブ）のセクションを示す。
【図８ａ】太陽の個々の回転にわたり平均された毎日の太陽黒点面積および小氷河期中の限られた地殻変動を示す。
【図８ｂ】日毎に監視される緯度線に対する北半球と南半球での（マグニチュード４．９を超える）地震のバランス（ペアリング）である、実験でチェックされた２００３年８月の地震図を示す。
【図９】２００５年３月１９日に撮影された太陽黒点０７４３および０７４２を示す磁場分布図画像を示す。
【図１０】ＳＯＨＯにより撮影された２つの磁場分布図画像および太陽擾乱を示す。
【図１１】ＳＯＨＯにより撮影された３つの磁場分布図画像および太陽擾乱を示す。
【図４】
2009508104.tif 000011
【図５】
2009508104.tif 000012
【図６ａ】
2009508104.tif 000013
【図９】
2009508104.tif 000014
【図１０】
2009508104.tif 000015
【図１１】
2009508104.tif 000016
【図１】
2009508104.tif 000017
【図２】
2009508104.tif 000018
【図３】
2009508104.tif 000019
【図６ｂ】
2009508104.tif 000020
【図７】
2009508104.tif 000021
【図８ａ】
2009508104.tif 000022
【図８ｂ】
2009508104.tif 000023
【手続補正書】
【提出日】平成20年5月7日(2008.5.7)
【手続補正１】
【補正対象書類名】図面
【補正対象項目名】図９
【補正方法】変更
【補正の内容】
【図９】
2009508104.tif 000024
【手続補正２】
【補正対象書類名】図面
【補正対象項目名】図１０
【補正方法】変更
【補正の内容】
【図１０】
2009508104.tif 000025
【手続補正３】
【補正対象書類名】図面
【補正対象項目名】図１１
【補正方法】変更
【補正の内容】
【図１１】
2009508104.tif 000026
【国際調査報告】
2009508104.tif 000027